(57)【要約】【課題】軽負荷時にバースト動作が生じにくいＬＬＣ方式のスイッチング電源装置を提供する。【解決手段】スイッチング電源装置１０はＬＬＣ共振コンバータを備える。ＬＬＣ共振コンバータは、トランス２と、トランス２の一次巻線２２に接続された第１のコンデンサＣ２と、トランス２および第１のコンデンサＣ２への通電を制御するスイッチング回路と、トランス２の二次巻線２３に接続された整流回路と、整流回路に接続された第２のコンデンサＣ３と、整流回路および第２のコンデンサＣ３に接続された出力端子４とを含む。スイッチング電源装置１０は、出力端子４に接続され、ＬＬＣ共振コンバータの軽負荷時に電力を消費する安定化回路８をさらに備える。【選択図】図１
2020022325.tif 000002
【特許請求の範囲】
【請求項１】
ＬＬＣ共振コンバータを備え、前記ＬＬＣ共振コンバータは、
一次巻線および二次巻線を有するトランスと、
前記トランスの前記一次巻線に接続された第１のコンデンサと、
前記トランスおよび前記第１のコンデンサへの通電を制御するスイッチング回路と、
前記トランスの前記二次巻線に接続された整流回路と、
前記整流回路に接続された第２のコンデンサと、
前記整流回路および前記第２のコンデンサに接続された出力端子とを含み、
前記出力端子に接続され、前記ＬＬＣ共振コンバータの軽負荷時に電力を消費する安定化回路をさらに備える、スイッチング電源装置。
【請求項２】
前記安定化回路は、
前記トランスの前記二次巻線、前記整流回路および前記第２のコンデンサを含む前記ＬＬＣ共振コンバータの二次側回路に流れる二次側電流に基づいて、前記ＬＬＣ共振コンバータの軽負荷状態を検出する軽負荷検出回路と、
前記ＬＬＣ共振コンバータの前記出力端子とグラウンドとの間に電気的に接続され、前記軽負荷検出回路によりオンされるトランジスタとを含む、請求項１に記載のスイッチング電源装置。
【請求項３】
前記軽負荷検出回路は、
前記二次側電流を第１の電圧に変換する第１の抵抗と、
前記トランジスタに流れる電流を第２の電圧に変換する第２の抵抗と、
前記第１の電圧の変化と逆方向に変化する第３の電圧を発生させる電圧発生回路と、
前記第３の電圧が前記第２の電圧を上回る場合に、前記トランジスタをオンする駆動回路とを含む、請求項２に記載のスイッチング電源装置。
【請求項４】
前記電圧発生回路は、
前記ＬＬＣ共振コンバータの前記出力端子とグラウンドとの間に直列に接続された複数の抵抗を含む抵抗回路と、
前記第１の電圧を増幅する第１のアンプと、
前記第１のアンプの出力と前記抵抗回路の出力とに接続されて前記第３の電圧を受ける第１の入力と、前記第２の電圧を受ける第２の入力とを有し、前記トランジスタを駆動するための電圧を出力する第２のアンプとを含む、請求項３に記載のスイッチング電源装置。
【発明の詳細な説明】
【技術分野】
【０００１】
本発明は、スイッチング電源装置に関する。
【背景技術】
【０００２】
スイッチング電源装置では、設計された負荷の時には、設計通りに動作する。しかし軽負荷時あるいは無負荷時には上記と異なる動作をするので、何らかの対策が必要である。たとえば特開２００３−５２１７４号公報（特許文献１）は、軽負荷を検出するための回路と、軽負荷検出信号に応答してスイッチ素子を間欠的に動作させる制御回路とを備えたスイッチング電源装置を開示する。たとえば、特開平８−３４０６７５号公報（特許文献２）は、スイッチング電源回路の軽負荷時に、スイッチング電源回路の出力に接続されるダミー負荷を開示する。
【先行技術文献】
【特許文献】
【０００３】
【特許文献１】特開２００３−５２１７４号公報
【特許文献２】特開平８−３４０６７５号公報
【発明の概要】
【発明が解決しようとする課題】
【０００４】
近年、ＬＬＣ方式のＤＣ／ＤＣコンバータ（以下、ＬＬＣ共振コンバータと呼ぶ）が広く使われるようになっている。ＬＬＣ方式では、２つのインダクタンス（Ｌ）と１つのキャパシタンス（Ｃ）とによる共振を利用して、ソフトスイッチングを実現する。
【０００５】
ＬＬＣ方式の場合、軽負荷時にはスイッチング周波数が上昇する。これはＬＬＣ方式の特性のためである。したがって、ＬＬＣ共振コンバータの定格出力時に高いスイッチング周波数でスイッチング素子を動作させる場合、軽負荷時のスイッチング周波数がさらに上昇するため、制御回路（ＩＣ）がスイッチング素子を制御することができなくなる可能性がある。このような場合、ＬＬＣ共振コンバータがバースト動作を行う。
【０００６】
本発明の目的は、軽負荷時にバースト動作が生じにくいＬＬＣ方式のスイッチング電源装置を提供することである。
【課題を解決するための手段】
【０００７】
本開示の一例によれば、スイッチング電源装置は、ＬＬＣ共振コンバータを備える。ＬＬＣ共振コンバータは、一次巻線および二次巻線を有するトランスと、トランスの一次巻線に接続された第１のコンデンサと、トランスおよび第１のコンデンサへの通電を制御するスイッチング回路と、トランスの二次巻線に接続された整流回路と、整流回路に接続された第２のコンデンサと、整流回路および第２のコンデンサに接続された出力端子とを含む。スイッチング電源装置は、出力端子に接続され、ＬＬＣ共振コンバータの軽負荷時に電力を消費する安定化回路をさらに備える。
【０００８】
上記の構成によれば、軽負荷時にバースト動作が生じにくいＬＬＣ方式のスイッチング電源装置を提供することができる。軽負荷時に安定化回路が負荷を発生させて電力を消費する。これにより、ＬＬＣ共振コンバータのスイッチング周波数の上昇が抑えられる。したがってスイッチング電源装置がバースト動作状態に移行することを防ぐことができる。
【０００９】
好ましくは、安定化回路は、トランスの二次巻線、整流回路および第２のコンデンサを含むＬＬＣ共振コンバータの二次側回路に流れる二次側電流に基づいて、ＬＬＣ共振コンバータの軽負荷状態を検出する軽負荷検出回路と、ＬＬＣ共振コンバータの出力端子とグラウンドとの間に電気的に接続され、軽負荷検出回路によりオンされるトランジスタとを含む。
【００１０】
上記によれば、軽負荷状態にのみ安定化回路を動作させることができるので、スイッチング電源装置の通常の動作時に、スイッチング電源装置の効率が低下することを防ぐことができる。
【００１１】
好ましくは、軽負荷検出回路は、二次側電流を第１の電圧に変換する第１の抵抗と、トランジスタに流れる電流を第２の電圧に変換する第２の抵抗と、第１の電圧の変化と逆方向に変化する第３の電圧を発生させる電圧発生回路と、第３の電圧が第２の電圧を上回る場合に、トランジスタをオンする駆動回路とを含む。
【００１２】
上記によれば、二次側電流と、トランジスタに流れる電流とに基づいて、スイッチング電源装置が軽負荷状態にあるかどうかを検出することができる。
【００１３】
好ましくは、電圧発生回路は、ＬＬＣ共振コンバータの出力端子とグラウンドとの間に直列に接続された複数の抵抗を含む抵抗回路と、第１の電圧を増幅する第１のアンプと、第１のアンプの出力と抵抗回路の出力とに接続されて第３の電圧を受ける第１の入力と、第２の電圧を受ける第２の入力とを有し、トランジスタを駆動するための電圧を出力する第２のアンプとを含む。
【００１４】
上記によれば、二次側電流が低下すると、トランジスタに一定の電流を流すことができる。したがって、スイッチング電源装置の軽負荷状態において安定化回路を動作させることができる。スイッチング電源装置の負荷が高くなることにより二次側電流が上昇した場合、トランジスタがオフする。したがって、軽負荷状態にのみ安定化回路を動作させることができる。
【発明の効果】
【００１５】
本発明によれば、ＬＬＣ方式のスイッチング電源装置の軽負荷時にバースト動作を生じにくくさせることができる。
【図面の簡単な説明】
【００１６】
【図１】本実施の形態に係るスイッチング電源装置の回路図である。
【図２】安定化回路の構成例の等価回路図である。
【図３】図２に示した安定化回路の動作を説明するための図である。
【図４】ＬＬＣ共振コンバータの軽負荷時の動作の例を示した電圧波形図である。
【図５】ＬＬＣ共振回路の正規化周波数特性を示した図である。
【図６】本実施の形態に係る安定化回路の効果を説明する電圧波形図である。
【発明を実施するための形態】
【００１７】
本発明の実施の形態について、図面を参照しながら詳細に説明する。なお、図中の同一または相当部分については、同一符号を付してその説明は繰り返さない。
【００１８】
＜適用例＞
まず、図１を用いて、本発明が適用される場面の一例について説明する。図１は、本実施の形態に係るスイッチング電源装置の回路図である。図１に示すように、本実施の形態に係るスイッチング電源装置１０は、ＬＬＣ方式を採用したスイッチング電源装置である。
【００１９】
スイッチング電源装置１０は、ＬＬＣ共振コンバータを備える。ＬＬＣ共振コンバータは、たとえばＭＯＳＦＥＴ（Metal  Oxide  Semiconductor  Field  Effect  Transistor）である半導体スイッチＱ1，Ｑ2と、トランス２と、キャパシタＣ１，Ｃ２と、二次側回路３と、出力端子４，５とを含む。
【００２０】
トランス２は、コア２０と、一次巻線２２と二次巻線２３とを含む。キャパシタＣ１，Ｃ２は、トランス２の一次巻線２２に接続される。具体的には、一次巻線２２の第１端がキャパシタＣ１の第１端に接続される。一次巻線２２の第２端がキャパシタＣ２の第１端に接続される。なお、キャパシタＣ１の第２端とキャパシタＣ２の第２端とは互いに接続されるとともに電源１の負極に接続される。この実施形態において、キャパシタＣ２は、「第１のコンデンサ」に相当する。
【００２１】
トランス２は、共振インダクタと密結合トランスとを組み合わせた構成を有してもよい。すなわち、一次巻線の一部を共振インダクタに用い、一次巻線の他の部分と二次巻線２３とにより密結合トランスを構成してもよい。あるいはトランス２は、漏れ磁束トランスであってもよい。この場合、漏れインダクタンスを共振インダクタに用いることができる。したがって共振インダクタと密結合トランスとを一体化することができる。
【００２２】
半導体スイッチＱ1，Ｑ2は、トランス２、キャパシタＣ２（第１のコンデンサ）およびキャパシタＣ１への通電を制御するスイッチング回路を構成する。具体的には半導体スイッチＱ1，Ｑ2は電源１の正極と電源１の負極との間に直列に接続されてハーフブリッジ回路を構成する。半導体スイッチＱ1，Ｑ2の接続点Ｎ１は、トランス２の一次巻線２２の第１端に接続される。電源１は、直流電圧Ｖinを出力する直流電源である。半導体スイッチＱ1，Ｑ2は、たとえば制御ＩＣ１５（ただし制御ＩＣ１５に限定されない）からの制御信号によって、オンおよびオフが制御される。
【００２３】
二次側回路３は、トランス２の二次巻線２３、ダイオードＤ1，Ｄ2、キャパシタＣ３を含む。ダイオードＤ1，Ｄ2は、トランス２の二次巻線２３に接続される整流回路を構成する。キャパシタＣ３（第２のコンデンサ）は、その整流回路に接続される。
【００２４】
スイッチング電源装置１０は、さらに、安定化回路８を含む。安定化回路８は、ＬＬＣ共振コンバータの出力端子４，５に接続される。詳細には、安定化回路８は、スイッチング電源装置１０（ＬＬＣ共振コンバータ）の軽負荷時に電力を消費する。ＬＬＣ方式の場合、軽負荷時にはスイッチング周波数が上昇する。高いスイッチング周波数でスイッチング素子を動作させる場合、軽負荷時にはスイッチング周波数がさらに上昇するため、制御ＩＣが半導体スイッチを制御できなくなる可能性がある。しかし、安定化回路８が電力を消費することによって、スイッチング電源装置１０の軽負荷が補償される。これによりスイッチング周波数の上昇を抑えることができるので、スイッチング電源装置１０（ＬＬＣ共振コンバータ）がバースト動作を行う可能性を低減することができる。
【００２５】
＜安定化回路の構成＞
図２は、安定化回路８の構成例の等価回路図である。図２に示すように、安定化回路８は、軽負荷検出回路１１と、トランジスタＴＲ１とを備える。軽負荷検出回路１１は、スイッチング電源装置１０（ＬＬＣ共振コンバータ）の二次側回路３に流れる電流に基づいて、スイッチング電源装置１０（ＬＬＣ共振コンバータ）の軽負荷状態を検出する。
【００２６】
トランジスタＴＲ１は、ＬＬＣ共振コンバータの出力端子４とグラウンドとの間に電気的に接続されて、軽負荷検出回路１１によりオンされる。トランジスタＴＲ１がオンすることにより、安定化回路８は電力を消費する。これにより、スイッチング電源装置１０の軽負荷時の動作を安定させることができる。なお「ＶＣＣ」は、図１に示す出力端子４に生じる電圧を表している。
【００２７】
軽負荷検出回路１１は、抵抗Ｒ１，Ｒ２と、電圧発生回路１２と、駆動回路１３とを備える。抵抗Ｒ１は、二次側回路３に流れる電流を第１の電圧（電圧Ｖ１）に変換するための抵抗である。言い換えると、抵抗Ｒ１は、二次側回路３に流れる電流を検出するための抵抗である。抵抗Ｒ１の第１端は、トランス２（図１を参照）の二次巻線２３の中間タップに接続される。抵抗Ｒ１の第２端は、グラウンドに接続される。
【００２８】
抵抗Ｒ２は、トランジスタＴＲ１に流れる電流を第２の電圧（電圧Ｖ２）に変換するための抵抗である。言い換えると、抵抗Ｒ２はトランジスタＴＲ１に流れる電流を測定するための抵抗である。抵抗Ｒ２は、トランジスタＴＲ１とグラウンドとの間に接続される。抵抗Ｒ１，Ｒ２を用いることにより、二次側回路３の電流と、トランジスタＴＲ１に流れる電流とに基づいて、スイッチング電源装置１０が軽負荷状態にあるかどうかを検出することができる。
【００２９】
電圧発生回路１２は、第１の電圧（電圧Ｖ１）と逆方向に変化する第３の電圧（電圧Ｖ３）を発生させる回路である。「逆方向」とは、電圧Ｖ１，Ｖ３のうちの一方の電圧が上昇すると、他方の電圧が低下するという関係に対応する。電圧発生回路１２は、オペアンプＯＰ１と、抵抗Ｒ１１，Ｒ１２，Ｒ１３，Ｒ１４，Ｒ２１，Ｒ２２，Ｒ２３，Ｒ２４とを備える。
【００３０】
抵抗Ｒ１１は、抵抗Ｒ１の第１端と、オペアンプＯＰ１の非反転入力（＋側の入力）とを接続する。抵抗Ｒ１２は、抵抗Ｒ１の第２端と、オペアンプＯＰ１の反転入力（−側の入力）とを接続する。抵抗Ｒ１３は、オペアンプＯＰ１の反転入力とグラウンドとを接続する。抵抗Ｒ１４は、オペアンプＯＰ１の出力とオペアンプＯＰ１の非反転入力とを接続する。これにより、オペアンプＯＰ１は、電圧Ｖ１を増幅する。
【００３１】
抵抗Ｒ２１と抵抗Ｒ２２とは出力端子４（電圧ＶＣＣ）とグラウンドとの間に直列に接続されて抵抗回路を構成する。抵抗Ｒ２１と抵抗Ｒ２２との接続点は、抵抗回路の出力点に相当する。抵抗回路の出力点から、電圧ＶＣＣに比例した電圧Ｖ４（電圧ＶＣＣに分圧比を乗じた電圧）が出力される。
【００３２】
抵抗Ｒ２３と抵抗Ｒ２４とは、オペアンプＯＰ１の出力に直列に接続される。抵抗Ｒ２３と抵抗Ｒ２４との接続点は、抵抗Ｒ２１と抵抗Ｒ２２との接続点に接続される。このような構成により、二次側回路３に流れる電流が低下すると、トランジスタＴＲ１に一定の電流を流すことができる。したがって、スイッチング電源装置１０の軽負荷状態において安定化回路８を動作させることができる。一方、スイッチング電源装置１０の負荷が高くなることにより二次側回路３に流れる電流が上昇した場合、トランジスタＴＲ１がオフする。したがって、軽負荷状態にのみ安定化回路８を動作させることができる。
【００３３】
駆動回路１３は，ＯＰ２と、抵抗Ｒ２５，Ｒ２６とを備える。オペアンプＯＰ２は、軽負荷時にのみトランジスタＴＲ１をオンさせるためのオペアンプである。オペアンプＯＰ２の非反転入力（＋側の入力）は、抵抗Ｒ２４の一方端に接続される。これによりオペアンプＯＰ２の非反転入力（＋側の入力）には、電圧Ｖ３が印加される。一方、オペアンプＯＰ２の反転入力（−側の入力）は、抵抗Ｒ２６を介して、トランジスタＴＲ１と抵抗Ｒ２との接続点に接続される。これによりオペアンプＯＰ２の反転入力（−側の入力）には、電圧Ｖ２が印加される。オペアンプＯＰ２の出力は抵抗Ｒ２５を介してトランジスタＴＲ１の制御電極に接続される。
【００３４】
図３は、図２に示した安定化回路の動作を説明するための図である。スイッチング電源装置１０の軽負荷時には、抵抗Ｒ１に流れる電流ｉが小さい。したがって電圧Ｖ１が小さい。この場合、オペアンプＯＰ１に発生する負電圧が小さくなる。オペアンプＯＰ１の出力に向けて抵抗Ｒ２３を流れる電流ｉ１と、出力端子４から抵抗Ｒ２１を流れる電流ｉ２とを比較すると、ｉ２＞ｉ１となる。この結果、オペアンプＯＰ２の＋側の入力電圧（Ｖ３）が大きくなる。すなわち、電圧Ｖ１が小さくなると電圧Ｖ３が大きくなる。電圧Ｖ３がオペアンプＯＰ２の−側の入力電圧（Ｖ２）より高くなるので、オペアンプＯＰ２の出力レベルがハイとなる。これにより、オペアンプＯＰ２から電圧Ｖｏｎが出力される。トランジスタＴＲ１の制御電極に電圧Ｖｏｎが印加されることにより、トランジスタＴＲ１がオンする。
【００３５】
トランジスタＴＲ１がオンすると、一定の大きさを有する電流ｉ３がトランジスタＴＲ１および抵抗Ｒ２に流れる。したがって、Ｖｃｃ×ｉ３の大きさを有する電力が抵抗Ｒ２によって消費される。
【００３６】
スイッチング電源装置１０の負荷（図３に示さず）が増大して、その負荷に流れる電流（すなわち電流ｉ）が一定以上の大きさになると、電圧Ｖ１が大きくなる。これにより電流ｉ１の値が大きくなる。この場合、電圧Ｖ３は低下する。すなわち電圧Ｖ１が大きくなると電圧Ｖ３が低下する。ｉ１＞ｉ２となると、オペアンプＯＰ２の出力レベルがハイからローへと変化する。オペアンプＯＰ２の出力レベルがローになると、トランジスタＴＲ１がオフする。したがって抵抗Ｒ２による電力の消費が停止する。このように安定化回路８は、スイッチング電源装置１０の軽負荷状態（すなわち電流ｉが一定値よりも低下した場合）においてのみ電力を消費することができる。
【００３７】
＜ＬＬＣ共振コンバータの動作＞
スイッチング電源装置１０において、一次巻線の共振インダクタのインダクタンス（または漏れインダクタンス）と、キャパシタＣ２のキャパシタンスとよって共振回路が構成される。ＬＬＣ共振コンバータでは、ＬＣ共振を利用して周波数変化により出力電圧を制御する。共振角周波数ω0は、共振インダクタのインダクタンス（LSR）と、キャパシタＣ２のキャパシタンス（Cr）とによって以下のように定まる。
【００３８】
ω0＝１／（LSR×Cr)1/2
なお、上記式では平方根（√）をべき乗（１／２乗）の形式により表している。周波数f0＝ω0／２πは、たとえば約１００ｋＨｚである。
【００３９】
図４は、ＬＬＣ共振コンバータの軽負荷時の動作の例を示した電圧波形図である。なお、図４は、トランス２の二次巻線２３の電圧波形を表している。たとえばスイッチング電源装置１０の通常の出力がＤＣ２４Ｖであるとする。図４を参照して、軽負荷時は、サージの部分により出力電圧２４Ｖが維持される。しかし、実質的な出力電圧の大きさは、破線で示した部分の大きさである。軽負荷時の実質的な出力は、本来の出力電圧（２４Ｖ）よりも低くなる。
【００４０】
図５は、ＬＬＣ共振回路の正規化周波数特性を示した図である。図５を参照して、グラフの横軸（ＦＲ）は、共振角周波数ω0により正規化された周波数を表す。すなわち、横軸の数値は、共振角周波数ω0に対するスイッチング周波数ωの比（ω／ω0）を表す。グラフの縦軸は、入力電圧に対する出力電圧の比を表す。なおグラフ中に記載されたｋはトランスの結合定数を表す（たとえばｋ＝０．８５）。
【００４１】
ＬＬＣ共振回路はＦＲ＝１（ω＝ω0）の動作点を中心として動作する。軽負荷によりＱが高くなるので、ゲインのピークは低周波数域に移動する。この場合、出力電圧が低下し、スイッチング電源装置１０のゲインが低下することとなるので、スイッチング周波数ωが上昇する。スイッチング周波数ωが上昇すると、動作点は、ＦＲ＞１となる領域に移動する。スイッチング電源装置１０が軽負荷のまま、スイッチング周波数ωが上昇すると、スイッチング電源装置１０がバースト動作する可能性がある。
【００４２】
＜安定化回路の動作および効果＞
本実施の形態では、スイッチング電源装置１０の出力に安定化回路８を設けることによって、軽負荷時にバースト動作を生じにくくさせることができる。
【００４３】
図６は、本実施の形態に係る安定化回路８の効果を説明する電圧波形図である。図６（Ａ）は、ＬＬＣ共振コンバータが軽負荷状態で動作するときの電圧波形図である。図６（Ｂ）は、ＬＬＣ共振コンバータに安定化回路８を付加した場合の電圧波形図である。図６（Ａ）と図６（Ｂ）との間では、横軸の時間スケールが同じである。
【００４４】
図６（Ａ）および図６（Ｂ）の比較から理解できるように、軽負荷時においては、スイッチング周波数が高い。バーストが発生した場合、ＬＬＣ共振コンバータの状態が間欠動作状態になるので、軽負荷時のノイズが増大する、あるいは負荷変動による反応が遅くなるという問題がある。図６（Ｂ）に示すように、本実施の形態に係るスイッチング電源装置１０は、軽負荷時に安定化回路８を動作させる。安定化回路８が負荷を発生させて電力を消費する。これにより、スイッチング周波数ωの上昇が抑えられるので、スイッチング電源装置１０がバースト動作状態に移行することが防がれる。
【００４５】
また、本実施の形態によれば、バーストが発生しないことにより、軽負荷時のリップルノイズの増加を抑制できる。さらに、リップルノイズの周波数の安定化、あるいは動的負荷変動の改善を行うことができる。
【００４６】
また、電力を常時消費するように安定化回路８を構成した場合、スイッチング電源装置１０の通常の動作時において、スイッチング電源装置１０の効率が低下する。加えて、スイッチング電源装置１０が発生する熱の量が増大する。この実施の形態では、本実施の形態では、軽負荷時のみに安定化回路８が電力を消費する。したがって、スイッチング電源装置１０の通常の動作時に効率が低下することを回避できるとともに、発生する熱の量の増大を抑えることができる。
【００４７】
軽負荷時にスイッチング周波数が上昇することを考慮した上で半導体スイッチＱ1，Ｑ2を選定する場合、半導体スイッチＱ1，Ｑ2には高周波用の半導体スイッチを選定しなければならない。しかし、一般的なＬＬＣ共振コンバータの場合、スイッチング周波数は１００ｋＨｚ程度である。さらに高いスイッチング周波数でも動作可能な半導体スイッチを選択する場合には、半導体スイッチＱ1，Ｑ2の選択の幅が狭くなる。本実施の形態によれば、安定化回路８によって、バースト動作を防ぐことができるので、半導体スイッチＱ1，Ｑ2のスイッチング周波数の上昇を抑えることができる。したがって、半導体スイッチＱ1，Ｑ2の選択の範囲を広げることができる。これによりスイッチング電源装置１０の設計の自由度を高めることができる。
【００４８】
＜付記＞
以上のように、本実施形態は以下のような開示を含む。
【００４９】
（構成１）
ＬＬＣ共振コンバータを備え、前記ＬＬＣ共振コンバータは、
一次巻線（２２）および二次巻線（２３）を有するトランス（２）と、
前記トランス（２）の前記一次巻線（２２）に接続された第１のコンデンサ（Ｃ２）と、
前記トランス（２）および前記第１のコンデンサ（Ｃ２）への通電を制御するスイッチング回路（Ｑ1，Ｑ2）と、
前記トランス（２）の前記二次巻線（２３）に接続された整流回路(Ｄ1，Ｄ2）と、
前記整流回路(Ｄ1，Ｄ2）に接続された第２のコンデンサ（Ｃ３）と、
前記整流回路(Ｄ1，Ｄ2）および前記第２のコンデンサ（Ｃ３）に接続された出力端子（４）とを含み、
前記出力端子（４）に接続され、前記ＬＬＣ共振コンバータの軽負荷時に電力を消費する安定化回路（８）をさらに備える、スイッチング電源装置（１０）。
【００５０】
（構成２）
前記安定化回路（８）は、
前記トランス（２）の前記二次巻線（２３）、前記整流回路(Ｄ1，Ｄ2）および前記第２のコンデンサ（Ｃ３）を含む前記ＬＬＣ共振コンバータの二次側回路（３）に流れる二次側電流（ｉ）に基づいて、前記ＬＬＣ共振コンバータの軽負荷状態を検出する軽負荷検出回路（１１）と、
前記ＬＬＣ共振コンバータの前記出力端子（４）とグラウンドとの間に電気的に接続され、前記軽負荷検出回路（１１）によりオンされるトランジスタ（ＴＲ１）とを含む、構成１に記載のスイッチング電源装置（１０）。
【００５１】
（構成３）
前記軽負荷検出回路（１１）は、
前記二次側電流（ｉ）を第１の電圧（Ｖ１）に変換する第１の抵抗（Ｒ１）と、
前記トランジスタ（ＴＲ１）に流れる電流を第２の電圧（Ｖ２）に変換する第２の抵抗（Ｒ２）と、
前記第１の電圧（Ｖ１）の変化と逆方向に変化する第３の電圧（Ｖ３）を発生させる電圧発生回路（１２）と、
前記第３の電圧（Ｖ３）が前記第２の電圧（Ｖ２）を上回る場合に、前記トランジスタ（ＴＲ１）をオンする駆動回路（１３）とを含む、構成２に記載のスイッチング電源装置（１０）。
【００５２】
（構成４）
前記電圧発生回路（１２）は、
前記ＬＬＣ共振コンバータの前記出力端子（４）とグラウンドとの間に直列に接続された複数の抵抗（Ｒ２１，Ｒ２２）を含む抵抗回路と、
前記第１の電圧を増幅する第１のアンプ（ＯＰ１）と、
前記第１のアンプ（ＯＰ１）の出力と前記抵抗回路（Ｒ２１，Ｒ２２）の出力とに接続されて前記第３の電圧（Ｖ３）を受ける第１の入力と、前記第２の電圧（Ｖ２）を受ける第２の入力とを有し、前記トランジスタを駆動するための電圧（Ｖｏｎ）を出力する第２のアンプ（ＯＰ２）とを含む、構成３に記載のスイッチング電源装置（１０）。
【００５３】
本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００５４】
１  電源、２  トランス、３  二次側回路、４，５  出力端子、８  安定化回路、１０  スイッチング電源装置、１１  軽負荷検出回路、１２  電圧発生回路、１３  駆動回路、２０  コア、２２  一次巻線、２３  二次巻線、Ｃ１，Ｃ２，Ｃ３  キャパシタ、Ｄ1，Ｄ2  ダイオード、１５  制御ＩＣ、Ｎ１  接続点、ＯＰ１，ＯＰ２  オペアンプ、Ｑ1，Ｑ2  半導体スイッチ、Ｒ１，Ｒ２，Ｒ１１，Ｒ１２，Ｒ１３，Ｒ１４，Ｒ２１，Ｒ２２，Ｒ２３，Ｒ２４，Ｒ２５，Ｒ２６  抵抗、ＴＲ１  トランジスタ、Ｖ１，Ｖ２，Ｖ３，Ｖ４，Ｖｏｎ  電圧、Ｖin  直流電圧、f0  周波数、ｉ，ｉ１，ｉ２，ｉ３  電流。
【図１】
2020022325.tif 000003
【図２】
2020022325.tif 000004
【図３】
2020022325.tif 000005
【図４】
2020022325.tif 000006
【図５】
2020022325.tif 000007
【図６】
2020022325.tif 000008